(57)【要約】      （修正有）【課題】化粧水の使用性の要因を客観的に解析することが可能な化粧水の評価方法を提供する。【解決手段】化粧水の使用性の評価方法は、ヒト疑似皮膚に対する化粧水の接触角を評価する工程と、ヒト疑似皮膚に化粧水を塗布して、化粧水の塗布状態を評価する工程を有し、前記化粧水の塗布状態を評価する工程では、前記化粧水に蛍光物質を添加した後、該蛍光物質が添加された化粧水をヒト疑似皮膚に塗布し、該蛍光物質が添加された化粧水の塗布状態を評価する。【選択図】図１
2011053068.tif 000002
【特許請求の範囲】
【請求項１】
ヒト疑似皮膚に対する化粧水の接触角を評価する工程と、
ヒト疑似皮膚に前記化粧水を塗布して、前記化粧水の塗布状態を評価する工程を有することを特徴とする化粧水の評価方法。
【請求項２】
前記化粧水の塗布状態を評価する工程は、前記化粧水に蛍光物質を添加した後、該蛍光物質が添加された化粧水をヒト疑似皮膚に塗布し、該蛍光物質が添加された化粧水の塗布状態を評価することを特徴とする請求項１に記載の化粧水の評価方法。
【請求項３】
前記蛍光物質が添加された化粧水の塗布状態を、蛍光顕微鏡を用いて評価することを特徴とする請求項２に記載の化粧水の評価方法。
【請求項４】
前記蛍光物質は、水溶性であることを特徴とする請求項２又は３に記載の化粧水の評価方法。
【発明の詳細な説明】
【技術分野】
【０００１】
本発明は、化粧水の評価方法に関する。
【背景技術】
【０００２】
従来、スキンケア化粧料として様々な化粧水が用いられているが、化粧水としては、保湿、美白等の効果に加え、使用性が優れることが重要である。
【０００３】
化粧水の使用性を評価する際には、パネルが化粧水を使用して使用性の良否を判定する実使用試験が行われている。しかしながら、実使用試験は、パネルにより、評価に差があることから、化粧水の使用性の要因を客観的に解析することは困難である。
【０００４】
特許文献１には、化粧料の選択及び／又は評価のための、凹凸を有する及び／又は部分的に極性の異なるミクロ構造を有する表面の表面自由エネルギーの測定法が開示されている。このとき、凹凸を有する及び／又は部分的に極性の異なるミクロ構造を有する表面に、極性の異なる２種の液体を滴下し、生成する液滴の接触角を測定し、接触角より表面自由エネルギーを算出する。しかしながら、化粧水の使用性の要因を客観的に解析することを開示も示唆もしていない。
【先行技術文献】
【特許文献】
【０００５】
【特許文献１】特開２００７−１４７５５０号公報
【発明の概要】
【発明が解決しようとする課題】
【０００６】
本発明は、上記の従来技術が有する問題に鑑み、化粧水の使用性の要因を客観的に解析することが可能な化粧水の評価方法を提供することを目的とする。
【課題を解決するための手段】
【０００７】
請求項１に記載の発明は、化粧水の評価方法において、ヒト疑似皮膚に対する化粧水の接触角を評価する工程と、ヒト疑似皮膚に前記化粧水を塗布して、前記化粧水の塗布状態を評価する工程を有する。
【０００８】
請求項２に記載の発明は、請求項１に記載の化粧水の評価方法において、前記化粧水の塗布状態を評価する工程は、前記化粧水に蛍光物質を添加した後、該蛍光物質が添加された化粧水をヒト疑似皮膚に塗布し、該蛍光物質が添加された化粧水の塗布状態を評価することを特徴とする。
【０００９】
請求項３に記載の発明は、請求項２に記載の化粧水の評価方法において、前記蛍光物質が添加された化粧水の塗布状態を、蛍光顕微鏡を用いて評価することを特徴とする。
【００１０】
請求項４に記載の発明は、請求項２又は３に記載の化粧水の評価方法において、前記蛍光物質は、水溶性であることを特徴とする。
【発明の効果】
【００１１】
本発明によれば、化粧水の使用性の要因を客観的に解析することが可能な化粧水の評価方法を提供することができる。
【図面の簡単な説明】
【００１２】
【図１】化粧水の塗布状態を示す模式図である。
【図２】化粧水１を塗布したミニブタ皮膚の蛍光顕微鏡写真である。
【図３】化粧水２を塗布したミニブタ皮膚の蛍光顕微鏡写真である。
【図４】化粧水３を塗布したミニブタ皮膚の蛍光顕微鏡写真である。
【図５】化粧水４を塗布したミニブタ皮膚の蛍光顕微鏡写真である。
【図６】化粧水５を塗布したミニブタ皮膚の蛍光顕微鏡写真である。
【図７】化粧水６を塗布したミニブタ皮膚の蛍光顕微鏡写真である。
【発明を実施するための形態】
【００１３】
次に、本発明を実施するための形態を図面と共に説明する。
【００１４】
本発明の化粧水の評価方法は、ヒト疑似皮膚に対する化粧水の接触角を評価する工程（Ａ）と、ヒト疑似皮膚に化粧水を塗布して、化粧水の塗布状態を評価する工程（Ｂ）を有する。
【００１５】
工程（Ａ）において、ヒト疑似皮膚に対する化粧水の接触角は、自動接触角計を用いて測定することができる。このとき、ヒト疑似皮膚に対する化粧水の接触角は、１０〜７０°であることが好ましい。接触角が１０°未満であると、みずみずしさが低下する傾向があり、７０°を超えると、すべすべ感が低下する傾向にある。
【００１６】
ヒト擬似皮膚としては、特に限定されないが、ＰＭＭＡ板、ナイロン膜（特開２００２−４８７８９号公報参照）、サプラーレ（登録商標）、バイオスキンプレート（ビューラックス社製）、ＶＩＴＲＯ−ＳＫＩＮ（登録商標）、ミニブタ皮膚等が挙げられる。
【００１７】
工程（Ｂ）は、化粧水に蛍光物質を添加した後、蛍光物質が添加された化粧水をヒト疑似皮膚に塗布し、蛍光物質が添加された化粧水の塗布状態を評価するが、化粧水の塗布状態を評価することが可能であれば、特に限定されない。
【００１８】
蛍光物質が添加された化粧水の塗布状態を評価する方法としては、特に限定されないが、蛍光顕微鏡を用いて観察する方法が挙げられる。なお、必要に応じて、蛍光顕微鏡を用いて観察した画像を処理して数値化してもよい。
【００１９】
このとき、図１の横軸に示すように、化粧水の塗布膜厚が大きい第２象限及び第３象限は、しっとり感に優れ、化粧水の塗布膜厚が小さい第１象限及び第４象限は、さっぱり感に優れる。なお、化粧水の塗布膜厚は、公知の膜厚測定装置を用いて測定してもよいし、蛍光顕微鏡写真の画像の濃淡から判断してもよい。
【００２０】
一方、図１の縦軸に示すように、化粧水の塗布状態が均一である第１象限及び第２象限は、なじみ感に優れ、化粧水の塗布状態が不均一である第３象限及び第４象限は、なじみ感が劣る。
【００２１】
蛍光物質としては、特に限定されないが、フルオレッセインナトリウム塩、アクリジンオレンジ、オレゴングリーン等が挙げられる。中でも、水溶性を有することから、フルオレセインナトリウムが好ましい。
【００２２】
化粧水中の蛍光物質の添加量は、０．０００１〜１質量％であることが好ましい。蛍光物質の添加量が０．０００１質量％未満であると、蛍光顕微鏡で化粧水の塗布状態を観察することが困難になることがあり、１質量％を超えると、化粧水の塗布状態が変化することがある。
【００２３】
ヒト擬似皮膚は、工程（Ａ）と同様であるが、工程（Ａ）及び工程（Ｂ）で、同一のヒト擬似皮膚を用いてもよいし、異なるヒト擬似皮膚を用いてもよい。
【００２４】
なお、本発明の化粧水の評価方法の評価対象となる化粧水は、特に限定されない。
【実施例】
【００２５】
［化粧水の調製］
下記の配合量で、常法により化粧水を製造した。
【００２６】
（化粧水１）
エタノール１０質量％
グリセリン１．５質量％
ジプロピレングリコール０．５質量％
ポリオキシエチレンメチルグルコシド０．５質量％
エリスリトール０．１質量％
ポリオキシエチレン硬化ヒマシ油０．２質量％
ジイソステアリン酸ポリグリセリル０．１質量％
トリ２−エチルヘキサン酸グリセリル０．１質量％
エデト酸三ナトリウム０．０５質量％
フェノキシエタノール０．３質量％
水  残余
（化粧水２）
エタノール３質量％
グリセリン４．０質量％
ジプロピレングリコール３．０質量％
３−ブチレングリコール０．５質量％
アミジノプロリン０．４質量％
プルラン０．３質量％
ポリオキシエチレン変性ジメチルシリコーン０．１質量％
エデト酸三ナトリウム０．０５質量％
フェノキシエタノール０．３質量％
水  残余
（化粧水３）
１，３−ブチレングリコール５．０質量％
ペンチレングリコール２質量％
プルラン０．２５質量％
ポリオキシエチレン変性ジメチルシリコーン０．１質量％
エデト酸三ナトリウム０．０５質量％
フェノキシエタノール０．３質量％
水  残余
（化粧水４）
エタノール３質量％
グリセリン３質量％
ジプロピレングリコール５質量％
１，３−ブチレングリコール６質量％
トリメチルグリシン５質量％
高重合ポリエチレングリコール０．００５質量％
ポリオキシエチレンポリオキシプロピレンデシルテトラデシルエーテル０．４質量％
エデト酸三ナトリウム０．０５質量％
フェノキシエタノール０．３質量％
水  残余
（化粧水５）
エタノール５質量％
グリセリン２質量％
１，３−ブチレングリコール３．０質量％
ジプロピレングリコール５質量％
メチルグルセス−１０  ０．５質量％
ＰＥＧ−６０水添ヒマシ油０．２質量％
ジイソステアリン酸ポリグリセリル−２  ０．２質量％
トリエチルヘキサノイン０．１質量％
クエン酸０．０１質量％
クエン酸ナトリウム０．１質量％
エチレンジアミン四酢酸三ナトリウム二水和物０．０３質量％
フェノキシエタノール０．５質量％
水  残余
（化粧水６）
エタノール５質量％
グリセリン２質量％
１，３−ブチレングリコール３．０質量％
ジプロピレングリコール５質量％
メチルグルセス−１０  ０．５質量％
ＰＥＧ−６０水添ヒマシ油０．２質量％
セスキオレイン酸ソルビタン０．２質量％
トリエチルヘキサノイン０．１質量％
クエン酸０．０１質量％
クエン酸ナトリウム０．１質量％
エチレンジアミン四酢酸三ナトリウム二水和物０．０３質量％
フェノキシエタノール０．５質量％
水  残余
［化粧水の接触角］
ミニブタ皮膚に対する化粧水１〜６の接触角を、自動接触角計ＦＡＣＥ  ＡＵＴＯ  ＤＩＳＰＥＮＳＥＲ  ＡＤ−２１  ＣＡ−Ｖ１５０型（協和界面科学社製）を用いて測定した。なお、接触角は、１２回測定した値の平均値である。測定結果を表１に示す。
【００２７】
［化粧水の塗布状態］
化粧水１〜６に対して、それぞれ０．０１質量％のフルオレセインナトリウムを添加した。得られた化粧水０．２μｌを、２ｃｍ×２ｃｍのミニブタ皮膚に、指で１０秒間塗り広げた後、蛍光顕微鏡ＯＬＹＭＰＵＳ  ＢＸ５１（ＯＬＹＭＰＵＳ社製）を用いて、化粧水の塗布状態を観察した。図２〜７に、それぞれ化粧水１〜６を塗布したミニブタ皮膚の蛍光顕微鏡写真を示す。なお、図２〜５（ｂ）は、それぞれ図２〜５（ａ）の拡大写真である。
【００２８】
図２（ｂ）から、ミニブタ皮膚の皮丘に、比較的膜厚の小さい化粧水１の塗布膜が均一に形成されていることがわかる。また、図３（ｂ）から、比較的膜厚の大きい化粧水２の塗布膜が均一に形成されていることがわかる。
【００２９】
一方、図４（ｂ）から、ミニブタ皮膚の皮丘に、比較的膜厚の小さい化粧水３の塗布膜が不均一に形成されていることがわかる。また、図５（ｂ）から、ミニブタ皮膚の皮丘に、比較的膜厚の大きい化粧水４の塗布膜が不均一に形成されていることがわかる。
【００３０】
図６から、ミニブタ皮膚の皮丘に、比較的膜厚の小さい化粧水５の塗布膜が不均一に形成されていることがわかる。また、図７から、比較的膜厚の小さい化粧水６の塗布膜が均一に形成されていることがわかる。
【００３１】
［実使用試験］
女性専門パネル（１０名）が化粧水を使用して、使用性（すべすべ感、しっとり感、さっぱり感、なじみ感）を評価した。なお、１０名すべてが評価したものを◎、７〜９名評価したものを○、４〜６名が評価したものを△、３名以下が評価したものを×として、判定した。評価結果を表１に示す。
【００３２】
【表１】
2011053068.tif 000003
表１から、化粧水１、２は、接触角が１０〜７０°であるため、すべすべ感が優れることがわかる。また、化粧水１は、化粧水の塗布状態が第１象限にあるため、さっぱり感及びなじみ感が優れることがわかる。さらに、化粧水２は、化粧水の塗布状態が第２象限にあるため、しっとり感及びなじみ感が優れることがわかる。
【００３３】
一方、化粧水３、４は、接触角が７０°を超えるため、すべすべ感が劣ることがわかる。また、化粧水３は、化粧水の塗布状態が第４象限にあるため、さっぱり感が優れ、なじみ感が劣ることがわかる。さらに、化粧水４は、化粧水の塗布状態が第３象限にあるため、しっとり感が優れ、なじみ感が劣ることがわかる。
【００３４】
化粧水５、６は、接触角が１０〜７０°であるため、すべすべ感が優れることがわかる。また、化粧水５は、化粧水の塗布状態が第４象限にあるため、さっぱり感が優れ、なじみ感が劣ることがわかる。さらに、化粧水６は、化粧水の塗布状態が第１象限にあるため、さっぱり感及びなじみ感が優れることがわかる。
【００３５】
以上のことから、本発明の化粧水の評価方法を用いると、化粧水の使用性の要因を客観的に解析できることがわかる。
【図１】
2011053068.tif 000004
【図２】
2011053068.tif 000005
【図３】
2011053068.tif 000006
【図４】
2011053068.tif 000007
【図５】
2011053068.tif 000008
【図６】
2011053068.tif 000009
【図７】
2011053068.tif 000010